【手続補正書】
【提出日】平成20年9月9日(2008.9.9)
【手続補正１】
【補正対象書類名】特許請求の範囲
【補正対象項目名】全文
【補正方法】変更
【補正の内容】
【特許請求の範囲】
【請求項１】
画像を表示するための画像表示手段と、
被写体を照射するための発光手段と、
前記表示する画像の平均輝度に応じて前記発光手段の電源を充電するための充電電流を制御する充電電流制御手段とを有し、
前記充電電流制御手段は、前記表示する画像の平均輝度が第１の所定値以下の場合には充電電流を所定の充電電流よりも増やし、第２の所定値以上の場合には充電電流を前記所定の充電電流よりも減らすことを特徴とする撮像装置。
【請求項２】
前記充電電流制御手段は、前記表示する画像の画素値のヒストグラムを演算し、所定の度数の画素値を基に平均輝度を演算し、その平均輝度が第１の所定値以下の場合には充電電流を前記所定の充電電流よりも増やし、第２の所定値以上の場合には充電電流を前記所定の充電電流よりも減らすことを特徴とする請求項１に記載の撮像装置。
【請求項３】
前記充電電流制御手段は、前記表示する画像の平均輝度が第１の所定値より高くかつ第２の所定値より低い場合には充電電流を前記所定の充電電流に設定することを特徴とする請求項１または２に記載の撮像装置。
【請求項４】
画像を表示するための画像表示手段と、
前記表示する画像の平均輝度に応じてクロック周波数を制御するクロック制御手段とを有し、
前記クロック制御手段は、前記表示する画像の平均輝度が第１の所定値以下の場合にはクロック周波数を所定のクロック周波数よりも高くし、第２の所定値以上の場合にはクロック周波数を前記所定のクロック周波数よりも低くすることを特徴とすることを特徴とする撮像装置。
【請求項５】
前記クロック制御手段は、前記表示する画像の画素値のヒストグラムを演算し、所定の度数の画素値を基に平均輝度を演算し、その平均輝度が第１の所定値以下の場合にはクロック周波数を前記所定のクロック周波数よりも高くし、第２の所定値以上の場合にはクロック周波数を前記所定のクロック周波数よりも低くすることを特徴とする請求項４に記載の撮像装置。
【請求項６】
前記クロック制御手段は、前記表示する画像の平均輝度が第１の所定値より高くかつ第２の所定値より低い場合にはクロック周波数を前記所定のクロック周波数に設定することを特徴とする請求項４または５に記載の撮像装置。
【請求項７】
信号処理するための処理手段を有し、
前記クロック制御手段は、前記画像表示手段のクロック周波数および前記処理手段のクロック周波数の少なくとも一方を制御することを特徴とする請求項４ないし６のいずれか１項に記載の撮像装置。
【請求項８】
前記処理手段は、光電変換により画像信号を生成する撮像手段および前記生成された画像信号を処理するための信号処理手段の少なくとも一方であることを特徴とする請求項７に記載の撮像装置。
【請求項９】
画像を表示するための画像表示手段と、
被写体を照射するための発光手段とを有する撮像装置の制御方法であって、
前記表示する画像の平均輝度に応じて前記発光手段の電源を充電するための充電電流を制御する充電電流制御ステップを有し、
前記充電電流制御ステップは、前記表示する画像の平均輝度が第１の所定値以下の場合には充電電流を所定の充電電流よりも増やし、第２の所定値以上の場合には充電電流を前記所定の充電電流よりも減らすことを特徴とする撮像装置の制御方法。
【請求項１０】
画像を表示するための画像表示手段を有する撮像装置の制御方法であって、
前記表示する画像の平均輝度に応じてクロック周波数を制御するクロック制御ステップを有し、
前記クロック制御ステップは、前記表示する画像の平均輝度が第１の所定値以下の場合にはクロック周波数を所定のクロック周波数よりも高くし、第２の所定値以上の場合にはクロック周波数を前記所定のクロック周波数よりも低くすることを特徴とする撮像装置の制御方法。
【手続補正２】
【補正対象書類名】明細書
【補正対象項目名】０００９
【補正方法】変更
【補正の内容】
【０００９】
本発明の撮像装置は、画像を表示するための画像表示手段と、被写体を照射するための発光手段と、前記表示する画像の平均輝度に応じて前記発光手段の電源を充電するための充電電流を制御する充電電流制御手段とを有し、前記充電電流制御手段は、前記表示する画像の平均輝度が第１の所定値以下の場合には充電電流を所定の充電電流よりも増やし、第２の所定値以上の場合には充電電流を前記所定の充電電流よりも減らすことを特徴とする。
また、本発明の撮像装置は、画像を表示するための画像表示手段と、前記表示する画像の平均輝度に応じてクロック周波数を制御するクロック制御手段とを有し、前記クロック制御手段は、前記表示する画像の平均輝度が第１の所定値以下の場合にはクロック周波数を所定のクロック周波数よりも高くし、第２の所定値以上の場合にはクロック周波数を前記所定のクロック周波数よりも低くすることを特徴とする。
また、本発明の撮像装置の制御方法は、画像を表示するための画像表示手段と、被写体を照射するための発光手段とを有する撮像装置の制御方法であって、前記表示する画像の平均輝度に応じて前記発光手段の電源を充電するための充電電流を制御する充電電流制御ステップを有し、前記充電電流制御ステップは、前記表示する画像の平均輝度が第１の所定値以下の場合には充電電流を所定の充電電流よりも増やし、第２の所定値以上の場合には充電電流を前記所定の充電電流よりも減らすことを特徴とする。
また、本発明の撮像装置の制御方法は、画像を表示するための画像表示手段を有する撮像装置の制御方法であって、前記表示する画像の平均輝度に応じてクロック周波数を制御するクロック制御ステップを有し、前記クロック制御ステップは、前記表示する画像の平均輝度が第１の所定値以下の場合にはクロック周波数を所定のクロック周波数よりも高くし、第２の所定値以上の場合にはクロック周波数を前記所定のクロック周波数よりも低くすることを特徴とする。
【手続補正３】
【補正対象書類名】明細書
【補正対象項目名】００１８
【補正方法】変更
【補正の内容】
【００１８】
次に図１の構成図と図４のフローチャートを用いてストロボ充電時の動作を説明する。ストロボ充電シーケンスに入ると、表示部５で表示するために信号処理部４から出力されている信号は演算部９にも送られ、演算部９で表示画像の輝度を演算する（Ｓ４０１）。ここで行う演算は平均輝度を求める。その後演算の結果はシステム制御部８に送られ、所定値Ｋ１と比較する（Ｓ４０２）。演算結果が所定値Ｋ１以下の場合は表示画像の輝度は低い（暗い）と判断し、システム制御部８の制御により充電電流制御部１０１は充電回路部１０２の充電電流を増やす制御を行う（Ｓ４０３）。このときシステム制御部８は、前記所定値Ｋ１と関連付けられている所定値Ｖ１となるように、基準電圧回路１０５の基準電圧を制御する。これにより、比較器１０４の基準電圧は高くなり、充電回路部１０２の充電電流を増やすことができ、充電時間を短くすることが可能となる。ステップＳ４０２で所定値Ｋ１よりも大きいと判断した場合は更に所定値Ｋ２と比較する（Ｓ４０４）。ここで演算結果が所定値Ｋ２以上の場合は表示画像の輝度は高い（明るい）と判断し、システム制御部８の制御により充電電流制御部１０１は充電回路部１０２の充電電流を減らす制御を行う（Ｓ４０５）。このときシステム制御部８は、前記所定値Ｋ２と関連付けられている所定値Ｖ２となるように、基準電圧回路１０５の基準電圧を制御する。これにより、比較器１０４の基準電圧は低くなり、充電回路部１０２の充電電流を減らすことができ、消費電力を増すことなく最適な充電時間に制御することが可能となる。ステップＳ４０４で演算結果が所定値Ｋ２よりも小さいと判断した場合は、表示画像はほぼ適正レベルにあると判断し、システム制御部８の制御により充電電流制御部１０１は充電回路部１０２を通常の充電電流となるように設定する（Ｓ４０６）。このときシステム制御部８は、通常の所定値となるように、基準電圧回路１０５の基準電圧を制御する。これにより、比較器１０４の基準電圧は通常の設定値Ｖｔｙｐとなり、通常の充電電流で充電が可能となる。以上の説明で挙げた演算部９の結果と比較するための所定値はＫ１、Ｋ２の２値であるが、必ずしも２値である必要はなく、３値以上として更に細かく充電電流の制御を行っても何ら問題はない。逆に、簡単のために所定値を１つとしても問題はない。
【手続補正４】
【補正対象書類名】明細書
【補正対象項目名】００３３
【補正方法】変更
【補正の内容】
【００３３】
次に図８及び図９のフローチャートに従ってクロック制御シーケンスの動作を説明する。クロック制御シーケンスに入ると、表示部５で表示するために信号処理部４から出力されている信号は演算部９にも送られ、演算部９で表示画像の輝度を演算する（Ｓ７０１）。ここで行う演算は平均輝度を求める。その後演算の結果はシステム制御部８に送られ、所定値Ｋ１と比較する（Ｓ７０２）。演算結果が所定値Ｋ１以下の場合は表示画像の輝度は低いと判断し、システム制御部８の制御によりクロック周波数制御部１３はクロック周波数を早く（高く）するように制御する（Ｓ７０３）。このときシステム制御部８は、前記所定値Ｋ１と関連付けられているクロック周波数である所定値Ｃ１となるように制御する。これにより、システムクロックは早くなり各部の処理スピードが向上することが可能となる。ステップＳ７０２で所定値Ｋ１よりも大きいと判断した場合は更に所定値Ｋ２と比較する（Ｓ７０４）。ここで演算結果が所定値Ｋ２以上の場合は表示画像の輝度は高いと判断し、システム制御部８の制御によりクロック周波数制御部１３はクロック周波数を遅く（低く）するように制御する（Ｓ７０５）。このときシステム制御部８は、前記所定値Ｋ２と関連付けられているクロック周波数である所定値Ｃ２となるように制御する。これにより、システムクロックは遅くなり消費電力を抑えることが可能となる。ステップＳ７０４で演算結果が所定値Ｋ２よりも小さいと判断した場合は、表示画像はほぼ適正レベルにあると判断し、システム制御部８の制御によりクロック周波数制御部１３はクロック周波数を通常のクロック周波数となるように設定する（Ｓ７０６）。以上の説明で挙げた演算部９の結果と比較するための所定値はＫ１、Ｋ２の２値であるが、必ずしも２値である必要はなく、３値以上として更に細かく充電電流の制御を行っても何ら問題はない。逆に、簡単のために所定値を１つとしても問題はない。ステップＳ７０６でクロック周波数を設定後、クロック制御シーケンスを終了する。